【事件の表示】
　平成　６年特許願第　４１６１２号「インクジェットプリンタおよびインクジェットヘッド用回復方法」拒絶査定不服審判事件〔平成　７年　９月２６日出願公開、特開平　７−２４６７１５〕について、次のとおり審決する。
【結　論】
　本件審判の請求は、成り立たない。
【理　由】
１．手続の経緯
　本願は、平成６年３月１１日に出願したものであって、平成１４年１２月２６日付けで拒絶査定がなされ、これに対し、平成１５年２月６日付けで拒絶査定に対する審判請求がなされたものである。
　当審においてこれを審理した結果、平成１７年７月１５日付けで拒絶の理由を通知したところ、請求人は同年９月１３日付けで意見書及び手続補正書を提出した。
　
２．本願発明
　本願は、請求項の数１２から成り、その請求項９に係る発明（以下、「本願発明」という。）は、補正された明細書及び図面の記載からみて、その特許請求の範囲【請求項９】に記載されたとおりの次のものと認める。
　
「インクの吐出口の下方にプリント媒体を搬送する搬送部が設けられ、該搬送部によりプリント媒体を搬送させながらインクの吐出を行うことで記録を行うインクジェットヘッドのインクの吐出状態を良好に保つために、前記インクジェットヘッドの前記吐出口が設けられた面の清掃を行うインクジェットヘッド用回復方法において、
　前記搬送部に対して、前記インクジェットヘッドを前記記録を行うための下降位置と前記清掃を行うための上昇位置とに昇降可能に保持する保持手段を具備し、
　前記インクジェットヘッドの吐出口より排出されるインクを受容するために、前記吐出口と所定の間隔をおいた対向位置に回復手段を位置付ける工程と、
　前記保持手段によって上昇位置に保持された前記インクジェットヘッドから前記回復手段により前記インクを受容した後に、前記吐出口が設けられた前記インクジェットヘッドの面に払拭手段を当接させて水平方向に移動させると共に前記回復手段を移動させる工程と、
　前記払拭手段を前記インクジェットヘッドに対して移動させながら前記払拭手段を清掃手段により清掃させる工程と、
を具えたことを特徴とするインクジェットヘッド用回復方法。」
　
３．引用刊行物
（１）当審の拒絶の理由に引用され、本願出願前に頒布された刊行物である特開平０２−１９４９６７号公報（以下、「刊行物１」という。）には、以下の記載が図示とともにある。
イ．「記録ヘッドにより被記録材に記録液を吐出して記録を行う液体噴射記録装置において、」（特許請求の範囲、請求項１）
ロ．「１ａ−１ｄはそれぞれ、ライン型記録ヘッドであり、これらはホルダー２によりＸ方向に所定の間隔を持って互いに平行に固定支持されている。」（第２頁右下欄下から第６−３行）
ハ．「第５図（ａ）〜（ｄ）は本実施例におけるヘッド１ａ〜１ｄ及びキャップ３ａ〜３ｄの部分の各動作時の状態を示す側面図である。
　第５図（ａ）は電源ＯＦＦの時の状態を示し、各記録ヘッド１ａ〜１ｄが第１図の状態から上方に移動した位置にあり、且つ、各キャップ３ａ〜３ｄが第１図の状態からヘッドの下方へとＸ方向に移動した位置にある。そして、各ヘッドにはキャプ（当審注：「キャップ」の誤記。）３ａ〜３ｄが冠着されており、これにより、ヘッドの吐出口先端からのインクの蒸発が防止されている。
　この状態で、電源がＯＮされると、第５図（ｂ）に示される様に、ヘッド移動手段２４により、ヘッドユニットが１ｍｍ程度上方に持ち上げられる（第２図の様な配置となる。）。
　そして、この状態で空吐出信号がある場合には、全吐出口から目詰まり防止、又は目詰まり解消のための空吐出を所定の回数行う。」（第４頁右上欄第２行−下から第２行）
ニ．「なお、吐出されたインクはキャップ内の吸収部材３３により吸収される。
　次に第５図（ｃ）に示される様にキャップ移動手段２５により、キャップユニットがＸ方向と反対方向に所定位置へと退避せしめられ、次いで、第４図（ｄ）に示される様に、ヘッド移動手段２４により、ヘッドユニットが下方へと記録のための所定の位置（即ち、ベルト６の上方１ｍｍ程度の位置）まで下降せしめられる。
　次に、モータードライバー２３により給紙モーターをＯＮとし、給紙ローラ１６及び搬送ローラ１４を駆動して、給紙カセット３２内の記録紙２７を１枚、給紙搬送する。」（第４頁右下欄第８〜末行）
ホ．「次に、モータードライバー２１により、ベルトモーター８を駆動して駆動ローラ７の回転を開始し、更に帯電器ドライバー２２により、帯電器１２をＯＮとする。これにより、前記レジスト終了後の記録紙２７が帯電器１２により、帯電されたベルト６に吸着され、Ｘ方向に搬送される。
　そして、記録紙２７の先端が各ヘッドｌａ〜１ｄの直下に到達した時点からヘッドドライバー２０により当該ヘッドによる記録液吐出が行われ、１枚の記録紙２７に対して各ヘッドのライン順次走査によるカラー印字（記録）が実行される。」（第５頁左上欄第１３行〜右上欄第３行）
　上記記載及び図面を含む刊行物１全体の記載から、刊行物１には、以下の発明が開示されていると認められる。
「吐出口３４の下方に記録紙２７を搬送するベルト６が設けられ、該ベルト６により記録紙２７を搬送させながらインクの吐出を行うことで記録を行うヘッド１ａ〜１ｄの前記吐出口の目詰まり防止を行うヘッド用回復方法において、
　前記ベルト６に対して、前記ヘッド１ａ〜１ｄを前記記録を行うための下降位置と前記目詰まり防止を行うための上昇位置とに昇降可能に保持するヘッド移動手段２４を具備し、
　前記ヘッド１ａ〜１ｄの吐出口３４より空吐出されるインク滴を受容するために、前記吐出口３４と所定の間隔をおいた対向位置に該インク滴を吸収するスポンジ状吸収部材を有するキャップ３ａ〜３ｄを位置付ける工程と、
　前記ヘッド移動手段２４によって上昇位置に保持された前記ヘッド１ａ〜１ｄから前記キャップ３ａ〜３ｄにより前記インクを受容した後に、前記キャップ３ａ〜３ｄを水平方向に移動させる工程と、
を具えたヘッド用回復方法。」
　
（２）当審の拒絶の理由に引用され、本願出願前に頒布された刊行物である特開平０４−２３５０３９号公報（以下、「刊行物２」という。）には、以下の記載が図示とともにある。
ア．【００１８】３００は記録ヘツドが乾燥しない為のキヤツピング装置であり、５００は記録ヘツドの目づまりを回復する為のポンプである。
イ．【００３１】次に、図３の（Ａ），（Ｂ）で示した吐出面のよごれをおとし、図３の（Ｃ）に示すようなきれいな状態に直す方法を、図５の（ａ）〜（ｃ）をもって説明する。図５の（ａ）に於て、１０２は前述のヘツドであり、図７に示した４色のヘツドが並んで前述のキヤリツジ１０１に納まっている。１１３は前述のヘツド１０２に付加された吸収体であり、１２３はキヤリツジ１０１に付加された吸収体である。
ウ．【００３２】掃拭部材１２４は掃拭動作が必要なときにのみ、矢印Ｙ方向にせり上がり、記録ヘツド１０２に対して一連の掃拭動作が終ると、矢印Ｙ′方向に降下して待機状態を保つ。そこで、まず記録開始時にキヤツプ装置１０５が記録ヘツド１０２の吐出面１２２から引離されて、不図示のキヤリツジがホームポジシヨンから矢印Ｘ方向に移動すると、待機状態からせり上がった掃拭装置１２４に記録ヘツド１０２が次々と接触する。この様にして図３の（Ｃ）のごとくきれいな吐出面が生成される。
エ．【００３３】この様子を判かり易く拡大したのが図７、図９である。ヘツド吐出面のインク滴１２５を掃拭部材１２４でふきとって行く様子がわかる。かき集めたインク滴に前述の吸収体１１３又は１２３にて吸収する。
　
４．対比
　そこで、本願発明と刊行物１記載の発明とを比較すると、刊行物１記載の発明の「吐出口３４」、「記録紙２７」、「ベルト６」、「ヘッド１ａ〜１ｄ」、及び、「ヘッド移動手段２４」は、それぞれ本願発明の「インクの吐出口」、「プリント媒体」、「搬送部」、「インクジェットヘッド」、及び、「保持手段」に相当し、刊行物１記載の発明の「キャップ３ａ〜３ｄ」は、空吐出されるインク滴を吸収するから、回復の一翼を担っており、それゆえ、本願発明の回復手段に相当する。そして、空吐出することは、インクの吐出状態を良好に保つことを目的としているから、両者は、
「インクの吐出口の下方にプリント媒体を搬送する搬送部が設けられ、該搬送部によりプリント媒体を搬送させながらインクの吐出を行うことで記録を行うインクジェットヘッドのインク吐出状体を良好に保つために行うインクジェットヘッド用回復方法において、
　前記搬送部に対して、前記インクジェットヘッドを前記記録を行うための下降位置と上昇位置とに昇降可能に保持する保持手段を具備し、
　前記インクジェットヘッドの吐出口より排出されるインクを受容するために、前記吐出口と所定の間隔をおいた対向位置に回復手段を位置付ける工程と、
　前記保持手段によって上昇位置に保持された前記インクジェットヘッドから前記回復手段により前記インクを受容した後に、前記回復手段を移動させる工程と、
を具えたインクジェットヘッド用回復方法。」
の点で一致し、以下の点で相違している。
［相違点１］上昇位置での回復工程に関し、本願発明は、保持手段によって上昇位置に保持されたインクジェットヘッドから回復手段によりインクを受容した後に、吐出口が設けられた前記インクジェットヘッドの面に払拭手段を当接させて水平方向に移動させると共に前記回復手段を移動させる工程と、前記払拭手段を前記インクジェットヘッドに対して移動させながら前記払拭手段を清掃手段により清掃させる工程とを具えているのに対し、刊行物１記載の発明は、回復手段によりインクを受容する工程を具備しているものの、その後、吐出口が設けられたインクジェットヘッドの面に払拭手段を当接させて水平方向に移動させると共に前記回復手段を移動させる工程とを具えていない点。
［相違点２］本願発明は、払拭手段をインクジェットヘッドに対して移動させながら前記払拭手段を清掃手段により清掃させる工程を具えているのに対し、刊行物１記載の発明は、該工程を具えていない点。
　
５．判断
（１）上記相違点１について検討する。
　刊行物２には、吐出面（本願発明の「吐出口が設けられたインクジェットヘッドの面」に相当。）に掃拭部材（同「払拭手段」）を当接させて水平方向に相対移動させることが記載されている。さらに、キヤツピング装置（同「回復手段」）が掃拭部材と並設されることが図示されている。つまり、インクジェットヘッドと掃拭部材を水平方向に相対移動させると、インクジェットヘッドに対し、掃拭部材とキヤツピング装置は共に水平移動するものと認められる。
　回復手段も払拭手段もいずれもインクジェットヘッドに当接あるいは接近させて使用するインクジェットヘッドを回復させる手段であり、刊行物１記載の発明において、上昇位置で回復手段が使用されており、空吐出すると吐出口周辺が汚れることが明らかであり、刊行物２に回復手段と払拭手段両方が記載されているから、刊行物２記載の発明の払拭手段を刊行物１記載の発明の回復手段に加え、刊行物１記載の発明の回復手段と同様に上昇位置で使用することは当業者が容易になし得る程度のことである。
　また、回復手段と払拭手段を同時にインクジェットヘッドに使用することは不可能であり、前述したように、空吐出すると吐出口周辺が汚れるから、回復手段使用後に払拭手段使用することは当然のことであり、特開平０５−２２９１３２号公報、特開平０６−０００９６３号公報に記載されているように、回復手段使用後に払拭手段使用することは周知技術でもあり、刊行物２記載の発明に、払拭手段と回復手段をインクジェットヘッドに対し共に水平に相対移動させることが記載されているから、回復手段を使用した後、払拭手段を使用のために水平方向に移動させると共に回復手段を移動させ、上記相違点２のような構成とすることは、当業者が容易になし得る程度のことである。
　
（２）上記相違点２について検討する。
　刊行物２には、掃拭部材（本願発明の「払拭手段」に相当。）を記録ヘツド（同「インクジェットヘッド」）に対して相対移動させながら前記掃拭部材を吸収体（同「清掃手段」）により清掃させることが記載されているから、インクジェットヘッドに対し、払拭手段を適用する際に、清掃手段を採用し、上記相違点２のような構成とすることは、当業者が容易になし得る程度のことである。
　
　そして、本願発明の作用効果も、刊行物１、２記載の発明及び周知技術から当業者が予測できる範囲のものである。
　
６．むすび
　以上のとおり、本願発明は、本願出願前に頒布された刊行物１、２記載の発明及び周知技術に基づいて、当業者が容易に発明をすることができたものであるから、特許法第２９条第２項の規定により特許を受けることができないものであり、他の請求項に係る発明について検討するまでもなく、本願は拒絶すべきものである。
　よって、結論のとおり審決する。